【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
可変速フレームレート撮像画像の第１画像信号を生成する画像信号生成手段と、
前記第１画像信号の生成に用いる同期信号を生成する同期信号生成手段と、
前記画像信号生成手段のフレームレートと前記同期信号生成手段の動作を制御し、外部から第２画像信号が供給されることに応じて、前記同期信号生成手段を自走させて前記同期信号を生成させる制御手段と、
前記第２画像信号をモニタ用画像信号として出力するモニタ出力手段とを有する
ことを特徴とする撮像装置。
【請求項２】
前記制御手段は、外部から前記第２画像信号が供給されるとともに、前記第１画像信号と前記第２画像信号のフレームレートが異なるとき、前記同期信号生成手段を自走させる
ことを特徴とする請求項１記載の撮像装置。
【請求項３】
前記制御手段は、前記第２画像信号に代えて外部より基準同期信号が供給されたとき、前記同期信号生成手段を前記基準同期信号に同期させて動作させる
ことを特徴とする請求項１記載の撮像装置。
【請求項４】
前記制御手段は、外部からの通信情報により前記第２画像信号が供給されたことを検出する
ことを特徴とする請求項１記載の撮像装置。
【請求項５】
撮像装置と該撮像装置によって制御される被制御装置とで構成される撮像システムに用いられる撮像装置において、
前記撮像装置は、
可変速フレームレート撮像画像の第１画像信号を生成する画像信号生成手段と、
前記第１画像信号を生成するための同期信号を生成して前記画像信号生成手段に供給する同期信号生成手段と、
前記画像信号生成手段のフレームレートと前記同期信号生成手段と前記被制御装置の動作を制御し、前記被制御装置から前記撮像装置に第２画像信号を供給させることに応じて、前記同期信号生成手段を自走させて同期信号を生成させる制御手段と、
前記第２画像信号をモニタ用画像信号として出力するモニタ出力手段とを有する
ことを特徴とする撮像装置。
【請求項６】
前記制御手段は、前記被制御装置から前記第２画像信号を供給させるとともに、前記第１画像信号と前記第２画像信号のフレームレートが異なるとき、前記同期信号生成手段を自走させる
ことを特徴とする請求項５記載の撮像装置。
【請求項７】
前記制御手段は、基準同期信号を前記被制御装置から前記撮像装置に供給させるとき、前記同期信号生成手段を前記基準同期信号に同期させて動作させる
ことを特徴とする請求項５記載の撮像装置。
【請求項８】
前記被制御装置が、前記撮像装置との通信で生じる遅延を補償する遅延補償手段と、前記遅延補償手段を駆動するための駆動信号を生成する遅延補償駆動手段を有するとき、
前記制御手段は、前記第２画像信号を前記被制御装置から前記撮像装置に供給させるとき、前記被制御装置の遅延補償駆動手段を自走させて前記第２画像信号のフレームレートに対応した駆動信号を生成させる
ことを特徴とする請求項５記載の撮像装置。
【請求項９】
前記制御手段は、基準同期信号を前記被制御装置から前記撮像装置に供給させるとき、前記被制御装置の遅延補償駆動手段で前記基準同期信号に同期した駆動信号を生成させる
ことを特徴とする請求項８記載の撮像装置。
【請求項１０】
前記制御手段は、前記被制御装置から供給される第２画像信号のフレームレートを制御する
ことを特徴とする請求項５記載の撮像装置。
【請求項１１】
前記制御手段は、外部からの通信情報により前記第２画像信号が供給されたことを検出する
ことを特徴とする請求項５記載の撮像装置。
【請求項１２】
可変速フレームレート撮像画像の第１画像信号を生成する画像信号生成手段と、該画像信号生成手段を動作させるための同期信号を生成する同期信号生成手段を備えた撮像装置と、該撮像装置を制御する制御装置とで構成される撮像システムに用いられる制御装置において、
前記制御装置は、前記撮像装置の画像信号生成手段のフレームレートと前記同期信号生成手段の動作を制御し、前記撮像装置に第２画像信号を供給することに応じて、前記同期信号生成手段を自走させて前記同期信号を生成させる制御手段を有する
ことを特徴とする制御装置。
【請求項１３】
前記制御手段は、前記撮像装置に前記第２画像信号を供給するとともに、前記第１画像信号と前記第２画像信号のフレームレートが異なるとき、前記撮像装置の同期信号生成手段を自走させて前記同期信号を生成させる
ことを特徴とする請求項１２記載の制御装置。
【請求項１４】
前記制御手段は、前記第２画像信号に代えて基準同期信号を前記撮像装置に供給するとき、前記撮像装置の同期信号生成手段を前記基準同期信号に同期させて動作させる
ことを特徴とする請求項１２記載の制御装置。
【請求項１５】
前記撮像装置との通信の遅延を補償する遅延補償手段と、
前記遅延補償手段を駆動するための駆動信号を生成する遅延補償駆動手段を備え、
前記制御手段は、前記第２画像信号を前記撮像装置に供給するとき、前記遅延補償駆動手段を自走させて前記第２画像信号のフレームレートに対応した駆動信号を生成させる
ことを特徴とする請求項１２記載の制御装置。
【請求項１６】
前記制御手段は、前記第２画像信号に代えて基準同期信号を前記撮像装置に供給するとき、前記遅延補償駆動手段で前記基準同期信号に同期した駆動信号を生成させる
ことを特徴とする請求項１５記載の制御装置。
【請求項１７】
可変速フレームレート撮像画像の第１画像信号を生成する画像信号生成手段と、
前記第１画像信号の生成に用いる同期信号を生成する同期信号生成手段と、
前記画像信号生成手段のフレームレートと前記同期信号生成手段の動作を制御し、外部から入力される第２画像信号のフレームレートが前記第１画像信号のフレームレートと異なることに応じて、前記同期信号生成手段を自走させて同期信号を生成させる制御手段と、
前記第２画像信号をモニタ用画像信号として出力するモニタ出力手段とを有する
ことを特徴とする撮像装置。
【請求項１８】
撮像装置と該撮像装置によって制御される被制御装置とで構成される撮像システムに用いられる撮像装置において、
前記撮像装置は、
可変速フレームレート撮像画像の第１画像信号を生成する画像信号生成手段と、
前記第１画像信号を生成するための同期信号を生成して前記画像信号生成手段に供給する同期信号生成手段と、
前記画像信号生成手段のフレームレートと前記同期信号生成手段と前記被制御装置の動作を制御し、前記被制御装置から前記撮像装置に入力される第２画像信号のフレームレートが前記第１画像信号のフレームレートと異なることに応じて、前記同期信号生成手段を自走させて同期信号を生成させる制御手段と、
前記第２画像信号をモニタ用画像信号として出力するモニタ出力手段とを有する
ことを特徴とする撮像装置。
【請求項１９】
可変速フレームレート撮像画像の第１画像信号を生成する画像信号生成手段と、該画像信号生成手段を動作させるための同期信号を生成する同期信号生成手段を備えた撮像装置と、該撮像装置を制御する制御装置とで構成される撮像システムに用いられる制御装置において、
前記制御装置は、前記撮像装置の画像信号生成手段のフレームレートと同期信号生成手段の動作を制御する制御手段を有し、
前記制御手段は、前記撮像装置に入力する第２画像信号のフレームレートが前記第１画像信号のフレームレートと異なることに応じて、前記撮像装置の同期信号生成手段を自走させて同期信号を生成させ、
前記撮像装置は、前記第２画像信号をモニタ用画像信号として出力するモニタ出力手段を有する
ことを特徴とする制御装置。
【請求項２０】
可変速フレームレート撮像画像の第１画像信号を生成する画像信号生成手段と、
前記第１画像信号を生成するための同期信号を生成して前記画像信号生成手段に供給する同期信号生成手段と、
第１画像信号を記録再生する記録再生手段と、
前記画像信号生成手段のフレームレートと前記同期信号生成手段と前記記録再生手段の動作を制御し、前記記録再生手段から再生された再生画像信号のフレームレートが前記第１画像信号のフレームレートと異なることに応じて、前記同期信号生成手段を自走させて同期信号を生成させる制御手段と、
前記再生画像信号をモニタ用画像信号として出力するモニタ出力手段とを有する
ことを特徴とする撮像システム。
【手続補正２】
【補正対象書類名】明細書
【補正対象項目名】発明の名称
【補正方法】変更
【補正の内容】
【発明の名称】撮像装置とその制御装置および撮像システム
【手続補正３】
【補正対象書類名】明細書
【補正対象項目名】０００１
【補正方法】変更
【補正の内容】
【０００１】
この発明は撮像装置とその制御装置および撮像システムに関する。詳しくは、可変速フレームレート撮像画像の第１画像信号を生成する画像信号生成手段と、第１画像信号の生成に用いる同期信号を生成する同期信号生成手段と、画像信号生成手段と同期信号生成手段の動作を制御する制御手段を有した撮像装置に第２画像信号が供給されることに応じて、同期信号生成手段を自走させて同期信号を生成させて、外部から供給された画像を表示中に、可変速フレームレート撮像画像を生成して可変速フレームレート撮像画像を表示可能とするものである。
【手続補正４】
【補正対象書類名】明細書
【補正対象項目名】０００８
【補正方法】変更
【補正の内容】
【０００８】
そこで、この発明では、記録媒体を再生して得られた画像信号等、撮像装置外部から供給された画像を表示中に、可変速フレームレート撮像画像を生成して可変速フレームレート撮像画像を表示可能とする撮像装置とその制御装置および撮像システムを提供するものである。
【手続補正５】
【補正対象書類名】明細書
【補正対象項目名】０００９
【補正方法】変更
【補正の内容】
【０００９】
この発明に係る撮像装置は、可変速フレームレート撮像画像の第１画像信号を生成する画像信号生成手段と、第１画像信号の生成に用いる同期信号を生成する同期信号生成手段と、画像信号生成手段のフレームレートと同期信号生成手段の動作を制御し、外部から第２画像信号が供給されることに応じて、同期信号生成手段を自走させて同期信号を生成させる制御手段と、第２画像信号をモニタ用画像信号として出力するモニタ出力手段とを有するものである。また、制御手段は、外部から第２画像信号のフレームレートが第１画像信号のフレームレートと異なることに応じて、同期信号生成手段を自走させて同期信号を生成させるものである。
【手続補正６】
【補正対象書類名】明細書
【補正対象項目名】００１０
【補正方法】変更
【補正の内容】
【００１０】
この発明に係る撮像装置は、撮像装置と該撮像装置によって制御される被制御装置とで構成される撮像システムに用いられる撮像装置において、撮像装置は、可変速フレームレート撮像画像の第１画像信号を生成する画像信号生成手段と、第１画像信号を生成するための同期信号を生成して画像信号生成手段に供給する同期信号生成手段と、画像信号生成手段のフレームレートと同期信号生成手段と被制御装置の動作を制御し、被制御装置から撮像装置に第２画像信号を供給させることに応じて、同期信号生成手段を自走させて同期信号を生成させる制御手段と、第２画像信号をモニタ用画像信号として出力するモニタ出力手段とを有するものである。また、制御手段は、外部から第２画像信号のフレームレートが第１画像信号のフレームレートと異なることに応じて、同期信号生成手段を自走させて同期信号を生成させるものである。
【手続補正７】
【補正対象書類名】明細書
【補正対象項目名】００１１
【補正方法】変更
【補正の内容】
【００１１】
この発明に係る制御装置は、可変速フレームレート撮像画像の第１画像信号を生成する画像信号生成手段と、該画像信号生成手段を動作させるための同期信号を生成する同期信号生成手段を備えた撮像装置と、該撮像装置を制御する制御装置とで構成される撮像システムに用いられる制御装置において、制御装置は、撮像装置の画像信号生成手段のフレームレートと同期信号生成手段の動作を制御し、撮像装置に第２画像信号を供給することに応じて、同期信号生成手段を自走させて同期信号を生成させる制御手段を有するものである。また制御手段は、撮像装置に入力する第２画像信号のフレームレートが第１画像信号のフレームレートと異なることに応じて、同期信号生成手段を自走させて同期信号を生成させるものである。
また、この発明に係る撮像システムは、可変速フレームレート撮像画像の第１画像信号を生成する画像信号生成手段と、第１画像信号を生成するための同期信号を生成して画像信号生成手段に供給する同期信号生成手段と、第１画像信号を記録再生する記録再生手段と、画像信号生成手段のフレームレートと同期信号生成手段と記録再生手段の動作を制御し、記録再生手段から再生された再生画像信号のフレームレートが第１画像信号のフレームレートと異なることに応じて、同期信号生成手段を自走させて同期信号を生成させる制御手段と、再生画像信号をモニタ用画像信号として出力するモニタ出力手段とを有するものである。また、制御手段は、記録再生手段から再生された再生画像信号のフレームレートが第１画像信号のフレームレートと異なることに応じて、同期信号生成手段を自走させて同期信号を生成させるものである。
【手続補正８】
【補正対象書類名】明細書
【補正対象項目名】００１２
【補正方法】変更
【補正の内容】
【００１２】
この発明においては、撮像装置の画像信号生成手段によって、可変速フレームレート撮像画像の第１画像信号が生成されると共に、この第１画像信号の生成に用いる同期信号が同期信号生成手段で生成される。ここで、外部機器あるいは制御機器や被制御装置から第２画像信号が撮像装置に供給されることに応じて、例えば第２画像信号が撮像装置に供給されたとき、撮像装置の同期信号生成手段が自走状態とされて、第２画像信号のフレームレートが第１画像信号のフレームレートと異なる場合であっても、記録媒体を再生して得られた画像信号等、撮像装置外部から供給された画像を表示中に、可変速フレームレート撮像画像が生成される。また、第２画像信号に代えて基準同期信号が供給されたときには、撮像装置の同期信号生成手段が基準同期信号に同期して動作されるので、基準同期信号に同期した第１画像信号を出力することが可能となる。
【手続補正９】
【補正対象書類名】明細書
【補正対象項目名】００１４
【補正方法】変更
【補正の内容】
【００１４】
この発明によれば、撮像装置の画像信号生成手段によって、可変速フレームレート撮像画像の第１画像信号が生成されると共に、この第１画像信号の生成に用いる同期信号が早期同期信号生成手段で生成される。ここで、外部機器あるいは制御機器や被制御装置から第２画像信号が撮像装置に供給されることに応じて、撮像装置の同期信号生成手段が自走状態とされる。このため、第２画像信号のフレームレートが第１画像信号のフレームレートと異なる場合であっても、記録媒体を再生して得られた画像信号等、撮像装置外部から供給された画像を表示中に、可変速フレームレート撮像画像を生成して可変速フレームレート撮像画像が表示可能となる。また、第２画像信号に代えて基準同期信号が供給されたときには、撮像装置の同期信号生成手段が基準同期信号に同期して動作されるので、基準同期信号に同期した第１画像信号を出力することができる。